(57)【要約】【課題】この発明は、竿管の効果的な保護を実現したうえで、尻栓の脱落防止の促進を図り得ると共に、尻栓の簡便にして容易な着脱を実現し得るようにすることにある。【解決手段】元竿管１１の元側に螺着されて取付けられる尻栓１７の尻栓本体１７１に弾性部材１７７を自在状に配して、この弾性部材１７７で元竿管１１に収容される前中竿管１３の元側を受けて弾性支持するように構成したものである。【選択図】      図２
2005160318.tif 000002
【特許請求の範囲】
【請求項１】
小径側竿管が大径側竿管内に収容可能であって、隣接する大径側竿管の先端部と小径側竿管の後端部とが互いに嵌合して伸長される釣竿本体と、
前記釣竿本体の元竿管の元側に配されるものであって、前記元竿管に螺合される尻栓本体及び該尻栓本体に対して自在状に組付けられ、前竿管の端部に対設される弾性部とが設けられた尻栓と、
を具備することを特徴とする釣竿。
【請求項２】
前記尻栓は、前記尻栓本体と前記弾性部との間における一部の間隙が設けられることを特徴とする請求項１記載の釣竿。
【請求項３】
前記尻栓は、前記尻栓本体及び前記弾性部の少なくとも一方に当接部が凹凸状に形成されていることを特徴とする請求項１又は２記載の釣竿。
【請求項４】
前記尻栓は、前記尻栓本体に対して着脱自在に弾性係合される前記弾性部を自在状に組付ける結合部材が設けられることを特徴とする請求項１乃至３のいずれか記載の釣竿。
【請求項５】
さらに、前記元竿管の内壁部に前記尻栓の弾性部に対向して螺着される竿受けリングが設けられることを特徴とする請求項１乃至４のいずれか記載の釣竿。
【発明の詳細な説明】
【技術分野】
【０００１】
この発明は、釣り全般に用いる振り出し式の釣竿に関する。
【背景技術】
【０００２】
一般に、この種の釣竿においては、元竿管の竿管内に、穂先管を含む小径竿管が順に大径の竿管内に収容可能な複数の竿管を有し、隣接する大径竿管の先端部と小径竿管の後端部とが互いに嵌合して継合部を形成するように組付けられ、その元竿管の元側に保護用の尻栓が螺着される。このような釣竿は、竿管の振り出しや竿管の仕舞い操作を行う際、特に、節の合わせが硬くなってしまったような場合や、長さ調整機構における前竿管を縮める場合に、前竿管を捻りながら元竿管への収容、伸長操作が行われる。
【０００３】
一方、上記尻栓は、尻栓本体を弾性部材で形成したり、あるいは前竿管の元が当接する部位のみに弾性部材を配して、前竿管を仕舞った収容状態で、該前竿管の元が弾性部材に当接するようにして、衝撃を吸収するように構成される。このため、上述したように元竿管に対して前竿管を捻りながら伸縮操作を行うと、その回転力が尻栓の弾性部位に伝達されて尻栓が元竿管に対して回転して緩み、この伸縮操作が、一連の釣り操作により繰り返されると、元竿管から落下してしまうという不都合を有する。
【０００４】
そこで、このような釣竿においては、尻栓を、先端部、円柱部、段部を軸方向に形成して、その段部を外側中竿管の螺合部に係合させるように螺着することで、所謂、相互間を圧接して組付けることにより、外側中竿管に対する回転を規制するようにして緩みを防止した脱落防止構造が提案されている（例えば、特許文献１参照。）。
【特許文献１】特開平１１−２９５２２８号公報
【発明の開示】
【発明が解決しようとする課題】
【０００５】
しかしながら、上記釣竿では、尻栓を外側中竿管に螺着して組付けるのに非常に大きな力が必要とするために、その着脱作業が面倒であるという不都合を有する。
【０００６】
この発明は上記の事情に鑑みてなされたもので、竿管の効果的な保護を実現したうえで、尻栓の脱落防止の促進を図り得、且つ、簡便にして容易な着脱を実現し得るようにした釣竿を提供することを目的とする。
【課題を解決するための手段】
【０００７】
この発明は、小径側竿管が大径側竿管内に収容可能であって、隣接する大径側竿管の先端部と小径側竿管の後端部とが互いに嵌合して伸長される釣竿本体と、前記釣竿本体の元竿管の元側に配されるものであって、前記元竿管に螺合される尻栓本体及び該尻栓本体に対して自在状に組付けられ、前竿管の端部に対設される弾性部とが設けられた尻栓とを備えて釣竿を構成した。
【０００８】
上記構成によれば、元竿管に収容された前竿管の元側は、尻栓本体の弾性部に当接され、例えば前々竿管が捻り操作されて回転力が付与されると、その回転力が弾性部に付与され、該弾性部が尻栓本体に対して回転することにより、尻栓本体の元竿管に対する初期螺合位置が確保される。従って、尻栓の取付け強度の向上を図ることなく、竿管本体の伸長、収納動作に影響を受けることなく、尻栓の容易な着脱が実現される。
【発明の効果】
【０００９】
この発明によれば、竿管の効果的な保護を実現したうえで、尻栓の脱落防止の促進を図り得、且つ、簡便にして、容易な着脱を実現し得るようにした釣竿を提供することができる。
【発明を実施するための最良の形態】
【００１０】
以下、この発明の実施の形態について、図面を参照して詳細に説明する。
【００１１】
図１は、この発明の一実施の形態に係る釣竿の外観構成を示すもので、釣竿本体１０は、元竿管１１に対して先端から順に穂先竿である小径竿管１２と、複数本の中竿管１３が、小径側竿管が順に大径側竿管に収容可能で、且つ隣接する大径側竿管の先端部と小径側竿管の後端部とが互いに嵌合して伸長可能な振り出し式釣竿構造に連設される。この釣竿本体１０は、例えば繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿管構造に形成される。
【００１２】
また、上記釣竿本体１０の元竿管１１には、釣人が握持する握り部１４及びリール取付け用のリールシート１５が配される。このうちリールシート１５には、図示しない釣糸が巻装される魚釣用リールが操作自在に取り付けられる。この魚釣用リール（図示せず）に巻装された釣糸は、上記リールシート１５の近傍の中竿管１３の外部に設けられた釣糸通しガイド１６に導かれた後、複数の中竿管１３及び小径竿管１２内に導かれ、該小径竿管１２の先端より延出されて仕掛けが取り付けられる。
【００１３】
上記元竿管１１には、その元側に保護用の尻栓１７がＯリング１８を介して水密構造に取付けられる（図２参照）。すなわち、元竿管１１の元側の内壁には、図２に示すように螺子部１１１が設けられ、この螺子部１１１には、上記尻栓１７の尻栓本体１７１に形成された螺子部１７２が螺合される。
【００１４】
尻栓本体１７１は、例えば金属材料や樹脂材料で有底筒状に形成され、その中間部に回転操作用のローレット１７３が設けられる。そして、この尻栓本体１７１の基端部には、鍔状の第１の取付け部１７４が設けられ、この第１の取付け部１７４には、例えばゴム等の弾性材料で形成される弾性保護部を構成する弾性保護部材１７５が、例えば自在状に取付けられる。
【００１５】
また、上記尻栓本体１７１には、その先端部に第２の取付け部１７６が設けられ、この第２の取付け部１７６には、例えばゴムやコルク等の弾性材料で形成される弾性部である弾性部材１７７が、自在状に取付けられる。この弾性部材１７７は、その一方面が上記尻栓本体１７１に対して間隙ｄを有して対設され、その他方面が上記前中竿管１３の元側が対向される。
【００１６】
上記構成において、元竿管１１に対して前中竿管１３が収容されると、該前中竿管１３の元側が尻栓本体１７１に自在状に配された弾性部材１７７に当接され、次の前々中竿管１３が前中竿管１３内に収容する際、捻りながら収容操作されると、前中竿管１３が回転付勢される。すると、前中竿管１３の回転力は、尻栓本体１７１の弾性部材１７７に付与され、該弾性部材１７７が尻栓本体１７１の第２の取付け部１７６に対して回転され、その回転力が尻栓本体１７１に伝達されるのが阻止される。この結果、尻栓本体１７１は、元竿管１１に対して螺合が緩むことなく初期状態が確保される。
【００１７】
また、上記尻栓本体１７１の第１の取付け部１７４に取付けられた弾性保護部材１７５は、例えば釣り操作時等において、その周壁に釣り人の衣服等が当接されることで、摩擦等により、回転力が付与されることがある。この場合には、弾性保護部材１７５は、尻栓本体１７１の第１の取付け部１７４に自在状に配されていることで、該第１の取付け部１７４に対して回転され、尻栓本体１７１に回転力が付与されることが防止される。これにより、尻栓本体１７１は、元竿管１１に対して螺合が緩むことなく、初期状態が確保される。
【００１８】
このように、上記釣竿は、元竿管１１の元側に螺着されて取付けられる尻栓１７の尻栓本体１７１に弾性部材１７７を自在状に配して、この弾性部材１７７で元竿管１１に収容される前中竿管１３の元側を受けて弾性支持するように構成した。
【００１９】
これによれば、前中竿管１３に回転力が付与されても、この回転力が弾性部材１７７で吸収されて、尻栓本体１７１に付与されないことで、前中竿管１３の元側の確実な保護を実現したうえで、尻栓本体１７１の元栓管１１に対する緩みの防止が図れて、元竿管１１からの尻栓１７の脱落防止が図れる。
【００２０】
また、これによれば、尻栓本体１７１の元竿管１１への取付け強度を高めることなく、尻栓１７の脱落防止の促進が実現されることにより、尻栓１７の元竿管１１への簡便な着脱操作が確保される。
【００２１】
なお、この発明は、上記実施の形態に限ることなく、その他、図３及び図４に示すように尻栓２０，３０を構成しても、略同様の効果を期待することができる。但し、これら図３及び図４においては、上記図１及び図２と同一部分について同一符号を付して、その詳細な説明を省略する。
【００２２】
先ず、図３の実施の形態における尻栓２０は、尻栓本体２０１の基端部に鍔状の第１の取付け部２０２及びローレット２０５が設けられて、このうち第１の取付け部２０２には、例えばゴム等の弾性材料で形成される弾性保護部を構成する弾性保護部材２０３が、例えば自在状に取付けられる。また、尻栓本体２０１には、その周壁に螺子部２０４が設けられ、この螺子部２０４が、上記元竿管１１の元側の内壁に設けられた螺子部１１１に螺着されて元竿管１１の元側に取付けられる。
【００２３】
さらに、尻栓本体２０１の先端部には、弾性係止孔２０６が設けられて、この弾性係止孔２０６には、回転支持部材２１に形成した弾性係合爪２１１が弾性係合されて間隙ｄ１を有して自在状に取付けられる。この回転支持部材２１には、第２の取付け部２１２が設けられ、この第２の取付け部２１２には、その一方面が上記前中竿管１３の元側に対設され、その他方面が上記尻栓本体２０１の先端部に間隙ｄ１を有して対設するように、例えばゴムやコルク等の弾性材料で形成される弾性部である弾性部材２２が、接着されて取付けられる。
【００２４】
上記構成により、弾性部材２２は、前中竿管１３を介して回転力が付与されると、回転支持部材２１を介して尻栓本体２０１に対して回転される。この結果、尻栓本体２０１は、回転支持部材２１が硬質材料、例えば金属材料や硬質樹脂材料で形成されていると、該回転支持部材２１との間の摩擦抵抗が弾性部材２２より小さくなることにより、元竿管１１に対する螺合が緩むことなく、初期位置に保たれる。
【００２５】
また、図４の実施の形態における尻栓３０は、尻栓本体３０１の基端部に鍔状の第１の取付け部３０２及びローレット３０３が設けられて、このうち第１の取付け部３０２には、例えばゴム等の弾性材料で形成される弾性保護部を構成する弾性保護部材３０４が、例えば自在状に取付けられる。また、尻栓本体３０１には、その周壁に螺子部３０５が設けられ、この螺子部３０５が、上記元竿管１１の元側の内壁に設けられた螺子部１１１に螺着されて元竿管１１の元側に取付けられる。
【００２６】
さらに、尻栓本体３０１の先端部には、第２の取付け部３０６が設けられる。この第２の取付け部３０６には、上記前中竿管１３の元側に対設される、例えばゴムやコルク等の弾性材料で形成される弾性部である弾性部材３１が、間隙ｄ２を有して自在状に取付けられる。そして、この第２の取付け部３０６には、摺接用の複数の凸部３０７が上記弾性部材３１に対向して設けられ、この複数の凸部３０７が弾性部材３１に摺接して、相互間の回転が行われる。
【００２７】
上記構成により、弾性部材３１は、前中竿管１３を介して回転力が付与されると、その元側面に対して尻栓本体３０１の第２の取付け部３０６の凸部３０７が摺接される小さな摩擦抵抗状態で回転される。この結果、尻栓本体３０１は、元竿管１１に対する螺合が緩むことなく、初期位置に保たれる。
【００２８】
なお、上記図４の実施の形態では、凸部３０７を、尻栓本体３０１の第２の取付け部３０６に設けるように構成したが、これに限ることなく、その他、例えば摺接用の複数の凸部を、弾性部材３１に設けるように構成したり、複数の凹部を第２の取付け部３０６あるいは弾性部材３１の少なくとも一方に設けるように構成することも可能である。さらに、弾性部材３１の外周面を元竿管１１に圧接させるようにして、回転し難くして、摩擦抵抗が尻栓本体３０１に伝わり難くするように構成してもよい。
【００２９】
また、この発明は、上記実施の形態に限ることなく、例えば上記図４に示す尻栓３０の先端部における元竿管１１に図５に示すように竿受けリング３２を螺着して配するように構成することも可能である、この図５に示す実施の形態では、さらに、前中竿管１３の元側の、所謂「ガタ」を防止することが可能となる。
【００３０】
そして、この竿受けリング３２は、上記図２に示す尻栓構造、図３に示す尻栓構造においても、各弾性部材１７７，２１２の先端側における元竿管１１内に螺着して配するように構成しても、同様に有効な効果が期待される。
【００３１】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３２】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３３】
【図１】この発明の一実施の形態に係る釣竿の外観を示した平面図である。
【図２】図１の要部を取り出して示した一部断面図である。
【図３】この発明の他の実施の形態に係る釣竿の要部を取り出して示した一部断面図である。
【図４】この発明の他の実施の形態に係る釣竿の要部を取り出して示した一部断面図である。
【図５】この発明の他の実施の形態に係る釣竿の要部を取り出して示した一部断面図である。
【符号の説明】
【００３４】
１０…釣竿本体、１１…元竿管、１１１…螺子部、１２…小径竿管、１３…中竿管、１４…グリップ、１５…リールシート、１６…釣糸通しガイド、１７…尻栓、１７１…尻栓本体、１７２…螺子部、１７３…ローレット、１７４…第１の取付け部、１７５…弾性保護部材、１７６…第２の取付け部、１７７…弾性部材、１８…Ｏリング、２０…尻栓、２０１…尻栓本体、２０２…第１の取付け部、２０３…弾性保護部材、２０４…螺子部、２０５…ローレット、２０６…弾性係止孔、２１…回転支持部材、２１１…弾性係止爪、２１２…第２の取付け部、２２…弾性部材、３０…尻栓、３０１…尻栓本体、３０２…第１の取付け部、３０３…ローレット、３０４…弾性保護部材、３０５…螺子部、３０６…第２の取付け部、３０７…凸部、３１…弾性部材、３２…竿受けリング。
【図１】
2005160318.tif 000003
【図２】
2005160318.tif 000004
【図３】
2005160318.tif 000005
【図４】
2005160318.tif 000006
【図５】
2005160318.tif 000007